(57)【特許請求の範囲】
【請求項１】
一端と他端とを有し且つ一端を他端よりも下方に位置した傾斜面もしくは湾曲面を有するスクレーパと、
スクレーパの一端側に設けられた回転体と、
スクレーパの他端側に設けられたコイン回収部とを備えたコイン回収機であって、
前記回転体は、スクレーパの一端と同方向に延びる回転軸であって、定位置で回転可能な回転軸と、該回転軸に対して放射状に配置された可撓性を有する掻き揚げ羽根とを備え、
該掻き揚げ羽根は、床との接触で少なくとも先端側が湾曲状に変形可能に構成され、回転体の回転中心から掻き揚げ羽根の先端部の長さが、回転体の回転中心と床面とを結ぶ距離よりも長く設定されるとともに、周方向における隣り合う掻き揚げ羽根の先端同士の間隔が、コインの直径以上に設定されることを特徴とするコイン回収機。
【請求項２】
回転軸の回転中心を通る鉛直線と床との交点と、スクレーパの一端とを結ぶ長さが、コインの直径よりも短く設定されることを特徴とする請求項１に記載のコイン回収機。
【請求項３】
回転軸の回転中心とスクレーパの他端とを結ぶ長さが、回転軸の回転中心とスクレーパの一端とを結ぶ長さ以上に設定され、回転軸の回転中心とスクレーパの一端とを結ぶ長さが、回転軸の回転中心と床とを結ぶ長さよりも長く設定されることを特徴とする請求項１又は２に記載のコイン回収機。
【請求項４】
前記回転軸の回転中心と床とを結ぶ長さが、スクレーパの他端と床とを結ぶ長さよりも長く設定されることを特徴とする請求項１乃至３のいずれか１項に記載のコイン回収機。
【請求項５】
床面上を転動させる車輪と、該車輪の回転力を前記回転軸に伝達する歯車機構部であって、前記回転軸の回転を増速させる歯車機構部とを備えることを特徴とする請求項１乃至４のいずれか１項に記載のコイン回収機。
【発明の詳細な説明】
【技術分野】
【０００１】
本発明は、パチスロ店やゲームセンター等の遊技場において、床に落ちているコインを回収するためのコイン回収機に関する。
【背景技術】
【０００２】
従来、パチスロ店やゲームセンター等の遊技場において、該遊技場の床に落ちているコインを回収する際、作業者は、腰を屈めたり、しゃがんだりして、コインを一枚ずつ手で拾い集めていたが、床に落ちているコインを手ではつかみにくく、コインの数が多いと、その分、手間と時間がかかる。また、作業者は、コインを回収する間、作業する際の姿勢を保とうとするため、体に負担がかかっていた。
【０００３】
これに伴い、種々のコイン回収機が考案されるようになっている。この種のコイン回収機としては、例えば、図９に示す如く、スクレーパと１０と、回転軸１１と、掻き寄せ体１２とを備えるものがある（特許文献１参照）。スクレーパ１０は、床上のコインを掬い上げるためのもので板状を呈している。また、スクレーパ１０は、一端と他端とを有し且つ一端側を下方に位置した湾曲面を有する。回転軸１１は、床面ＦＬに対して直交する方向に延びる。掻き寄せ体１２は、円板１２０と、掻き揚げブラシ１２１とを備える。円板１２０は、回転軸１１の先端に取り付けられ、床面ＦＬに対向する面が、床面ＦＬに対して平行するように回転する。掻き揚げブラシ１２１は、床面ＦＬに対して直交する方向に延びるように、且つ円板１２０の床面ＦＬに対向する面に略Ｓ字を描くように配置される。
【０００４】
かかる構成のコイン回収機によれば、掻き寄せ体１２の掻き揚げブラシ１２１の毛が床面ＦＬに接触しながら、床上のコインを掻き寄せ体１２の回転範囲内に掻き寄せる。そして、掻き寄せられたコインは、掻き揚げブラシ１２１の回転による押圧によって、スクレーパ１０に乗り上げて回収部（図示せず）に回収される。
【先行技術文献】
【特許文献】
【０００５】
【特許文献１】特開２００６―１４９９５９号公報
【発明の概要】
【発明が解決しようとする課題】
【０００６】
ところで、上記構成のコイン回収機１００の場合、床面ＦＬに対して直交する方向に延びる掻き揚げブラシ１２１が回転しながらコインを回収しているため、スクレーパ１０に対してコインが斜めに押圧され、回収部に回収されることなく、掻き寄せ体１２の回転範囲内にコインが滞留するようになる。具体的に説明すると、掻き揚げブラシ１２１の回転によって掻き寄せられたコインは、スクレーパ１０を乗り超えることなく、スクレーパ１０の片側に滞留したり、乗り上げた位置から元の位置に戻ったりして、掻き寄せ体１２の回転範囲内にコインが滞留するようになる。すなわち、上記構成のコイン回収機１００は、コインを確実に回収できないという問題が生じる。
【０００７】
そこで、本発明は、斯かる実情に鑑み、コインを確実に回収することができるコイン回収機を提供することを課題とする。
【課題を解決するための手段】
【０００８】
本発明に係るコイン回収機は、一端と他端とを有し且つ一端を他端よりも下方に位置した傾斜面もしくは湾曲面を有するスクレーパと、スクレーパの一端側に設けられた回転体と、スクレーパの他端側に設けられたコイン回収部とを備えたコイン回収機であって、前記回転体は、スクレーパの一端と同方向に延びる回転軸であって、定位置で回転可能な回転軸と、該回転軸に対して放射状に配置された可撓性を有する掻き揚げ羽根とを備え、該掻き揚げ羽根は、床との接触で少なくとも先端側が湾曲状に変形可能に構成され、回転体の回転中心から掻き揚げ羽根の先端部の長さが、回転体の回転中心と床面とを結ぶ距離よりも長く設定されるとともに、周方向における隣り合う掻き揚げ羽根の先端同士の間隔が、コインの直径以上に設定されることを特徴とする。
【０００９】
かかる構成によれば、掻き揚げ羽根は、床との接触によって少なくとも先端側が湾曲状に変形して、コインに圧接するようになるので、掻き揚げ羽根が回転中心と床とを結ぶ鉛直線を越えて回転移動するとき、湾曲した掻き揚げ羽根の先端側が徐々に直線状に戻ろうとするので、その時の復帰力によって、コインをスクレーパに沿って斜め上方に勢いよく掻き揚げることができる。そして、スクレーパの他端を乗り越えたコインは、回収部側に自重落下して回収されるようになる。また、コインは、掻き揚げ羽根によって掻き揚げられる過程において、掻き揚げ羽根と掻き揚げ羽根との間に常に位置しており、１つのコインが１つの掻き揚げ羽根（回転方向で後続する掻き揚げ羽根）によって掻き揚げられる。すなわち、スクレーパから回収部に至るまでの間、コインの動きは、回転方向で先行する掻き揚げ羽根によって邪魔されることがない。
【００１０】
本発明に係るコイン回収機の一態様として、回転軸の回転中心を通る鉛直線と床との交点と、スクレーパの一端とを結ぶ長さが、コインの直径よりも短く設定されることが好ましい。
【００１１】
かかる構成によれば、掻き揚げ羽根が湾曲した状態でコインに圧接するとき、コインは、スクレーパを勢いよく掬い上げられる状態になっている。
【００１２】
本発明に係るコイン回収機の他態様として、回転軸の回転中心とスクレーパの他端とを結ぶ長さが、回転軸の回転中心とスクレーパの一端とを結ぶ長さ以上に設定され、回転軸の回転中心とスクレーパの一端とを結ぶ長さが、回転軸の回転中心と床とを結ぶ長さよりも長く設定されることが好ましい。
【００１３】
かかる構成によれば、回転軸の回転中心とスクレーパの他端とを結ぶ長さが、回転軸の回転中心とスクレーパの一端とを結ぶ長さ以上に設定されるため、コインがスクレーパの一端から他端に向かう過程において、回転方向で先行する掻き揚げ羽根によって邪魔されることなく掻き揚げられる。したがって、コインはスクレーパを介して勢いよく掬い上げられる。また、回転軸の回転中心とスクレーパの一端とを結ぶ長さが、回転軸の回転中心と床とを結ぶ長さよりも長く設定されるため、掻き揚げ羽根は、回転軸の回転中心を通る鉛直線を超えて、スクレーパの一端に近づくにつれて、湾曲した状態から徐々に直線状に復帰するようになる。すなわち、掻き揚げ羽根がスクレーパの一端に位置する時点では、コインを勢いよく掻き上げることになる。つまり、上述した３つの長さの関係が成立することで、勢いよく掻き上げられたコインが確実に回収される条件が成立することになる。
【００１４】
本発明に係るコイン回収機の他態様として、前記回転軸の回転中心と床とを結ぶ長さが、スクレーパの他端と床とを結ぶ長さよりも長く設定されることが好ましい。
【００１５】
かかる構成によれば、コインを回収部側に確実に傾倒させた状態で掻き揚げることができ、コインを回収部側により確実に落下させることができる。
【００１８】
本発明に係るコイン回収機の他態様として、床面上を転動させる車輪と、該車輪の回転力を前記回転軸に伝達する歯車機構部であって、前記回転軸の回転を増速させる歯車機構部とを備えることが好ましい。
【００１９】
かかる構成によれば、回転軸の回転速度が増速されるので、掻き揚げ羽根によるコインの掻き上げる速度が増速されるようになり、これに伴って、スクレーパを移動する速度も増速することになる。したがって、コインは、スクレーパの他端を確実に超えるように、スクレーパを勢いよく移動するようになる。また、コインの数が多くても容易に回収することができるので、コインの回収能力が向上する。
【発明の効果】
【００２０】
本発明によれば、コインを確実に回収することができるという優れた効果を奏し得る。
【図面の簡単な説明】
【００２１】
【図１】本発明の一実施形態に係るコイン回収機を示す斜視図。
【図２】同実施形態に係るコイン回収機の側断面図。
【図３】同実施形態に係るコイン回収機の平断面図。
【図４】同実施形態に係るコイン回収機の切断背面図。
【図５】同実施形態に係るコイン回収機における、回転中心と床面との結ぶ長さと、掻き揚げ羽根の長さと、コインの直径と、スクレーパの高さとの関係を示す図。
【図６】同実施形態に係るコイン回収機の使用態様を示す図であり、コイン回収機を床上に落ちているコインの近傍に移動させる状態を示す斜視図。
【図７】同実施形態に係るコイン回収機の使用態様を示す図であり、（ａ）は、掻き揚げ羽根によるコインの回収状態を示し、（ｂ）は、掻き揚げ羽根によって、コインがスクレーパに沿って掬い上げられる状態を示し、（ｃ）は、スクレーパの他端を越えたコインが回収部に回収される状態を示す。
【図８】他の実施形態に係るコイン回収機を示す側断面図。
【図９】従来のコイン回収機を示す概略図。
【発明を実施するための形態】
【００２２】
以下、本発明の一実施形態に係るコイン回収機について、図１〜図７（ａ）〜（ｃ）を参照しつつ説明する。
【００２３】
本実施形態に係るコイン回収機１は、図１〜図４に示す如く、スクレーパ３と、回転体４と、コイン回収部５とを有し、スクレーパ３、回転体４、及びコイン回収部５は、回収機本体２に設けられる。
【００２４】
回収機本体２は、フレーム２０と、カバー２１とを備える。フレーム２０は、底板２０ａと、側枠２０ｂ，２０ｂと、後枠２０ｃとを有し、上面が開口されている。カバー２１は、左右の側板２１ｂ，２１ｂと、後板２１ｃと、天板２１ｄとを有し、下面が開口されている。そして、フレーム２０の中央部にカバー２１が取り付けられている。
【００２５】
フレーム２０の側枠２０ｂ，２０ｂは、カバー２１の側板２１ｂ，２１ｂと同一形状であり、フレーム２０の側枠２０ｂ，２０ｂには、後述する歯車機構部４３が取り付けられている。また、側枠２０ｂ，２０ｂの前端には、コインＣをフレーム２０の内部に誘い込むための一対のガイド２５，２５が配置されている。このガイド２５，２５は、前方に向かうにしたがって大きく開口している。
【００２６】
フレーム２０の後枠２０ｃは、カバー２１の後板２１ｃよりも幅寸法が小さく、矩形状を呈している。また、この後枠２０ｃには、回収したコインＣを排出するための開口２００が形成されている。
【００２７】
フレーム２０の底板２０ａは、平面視矩形状で、後述する掻き揚げ羽根４１が回転する領域を十分に確保すべく、掻き揚げ羽根４１の回転軌跡から離間した位置に底板２０ａの前端が位置するように設定されている。また、底板２０ａは、カバー２１の下面開口の中央部に跨るように取り付けられる。また、底板２０ａには、複数の孔２０１が形成されており、孔２０１によって、回収機本体２の軽量化が図られるとともに、コインＣの回収時にフレーム２０の内部（回収部５）に入った床ＦＬ（以下、床面ＦＬという場合もある。）の塵埃が落ちるようになっている。
【００２８】
カバー２１の側板２１ｂ，２１ｂは、前側に向かって下降傾斜する斜辺２１０ｂと、平行する上下の上辺２１１ｂおよび下辺２１２ｂと、後辺２１３ｂとを有している。そして、カバー２１の正面に矩形状の開口２１ａが形成されるように、下辺２１２ｂの前端から斜辺２１０ｂの前端にかけて切欠き２１４が形成されている。
【００２９】
カバー２１の後板２１ｃは、回収したコインＣを排出するための開口２１０が、前記後枠２１ｃの開口２００と連通するように形成されている。これにより、コインＣを排出する排出口が構成されている。そして、この開口２１０には、開口２１０を開閉する扉２１５が開閉可能に取り付けられている。具体的には、扉２１５の一端が開口２１０の下側周縁部に蝶番（図示せず）などによって回転可能に支持されている。
【００３０】
カバー２１の天板２１ｄは、フレーム２０の底板２０ａに平行する平坦部２１０ｄと、平坦部２１０ｄの前端から下降傾斜する傾斜部２１１ｄとを有する。平坦部２１０ｄには、略中央部の前後を跨るように取手２１６が一体的に設けられている。この取手２１６の真下には、取手２１６を掴みやすくするための凹部２１７が形成されている。傾斜部２１１ｄの前端は、左右の側板２１ｂ，２１ｂの切欠き２１４の一端に繋がっている。したがって、傾斜部２１１ｄの前端と、側板２１ｂ，２１ｂの切欠き２１４とで、カバー２１の正面に矩形状の開口２１ａが形成される。この開口２１ａによって、床面ＦＬに落ちているコインＣを回収機本体２の正面から取り込みやすくなっている。
【００３１】
そして、取手２１６には、操作棒２２の先端部が着脱可能に取り付けられるようになっている。この操作棒２２は、柄２２０と、伸縮用継ぎ手２２１と、接続部材２２２とを備える。柄２２０は、操作棒２２の基端部に固着される。伸縮用継ぎ手２２１は、操作棒２２の中途部に設けられる。接続部材２２２は、操作棒２２の先端部を回動可能に支持する。そして、操作棒２２の先端部が接続部材２２２によって回動可能に支持されていることから、人は操作棒２２の柄２２０を持って、回収機本体２をどのような角度からでも操作することができる。また、この操作棒２２は、伸縮用継ぎ手２２１によって長さを伸縮できるように構成されている。
【００３２】
そして、フレーム２０の底板２０ａの前端と、カバー２１の天板２１ｄの前端と、カバー２１の左右の側板２１ｂ，２１ｂの前部とで囲まれて形成される領域Ｓが、コインＣを取り込んで掬い上げるための作業領域Ｓとなっている。
【００３３】
このコイン回収機１は、スクレーパ３を可動する構造になっている。この構造Ｂとしては、固定板３０と、可動板３１とを備える。
【００３４】
スクレーパ３は、円弧状で、コインＣの移動側における掻き揚げ羽根４１の回転軌跡に沿うように、可動板３１の先端部に固着されている。したがって、スクレーパ３は、一端（下端）が床面ＦＬに常に当接し、他端（上端）が後述する回転軸４０の回転中心の位置よりも低い高さに設定される。
【００３５】
固定板３０は、フレーム２０の底板２０ａの前部において、台形状に折り曲げ加工されている。具体的には、傾斜部３０ａと、第一延出部３０ｂと、第二延出部３０ｃとを有している。傾斜部３０ａは、斜め上方に傾斜する。第一延出部３０ｂは、傾斜部３０ａの他端から前方に向かって水平方向に延出されている。第二延出部３０ｃは、第一延出部３０ｂの前端から鉛直方向に向かって延出されている。この第二延出部３０ｃは、可動板３１の動きを規制する。
【００３６】
可動板３１は、フレーム２０の底板２０ａの前部と、固定板３０との間に介挿されている。そして、固定板３０の第一延出部３０ｂと可動板３１の中途部との間に、筒体３１０が介挿されている。この筒体３１０には、可動板３１を常時押し下げる弾性部材が内装されている（図示せず）。この弾性部材に可動板３１が当たって、固定板３０との間で停止している。したがって、可動板３１は、床面ＦＬに凹凸がある場合、この凹凸に応じて、固定板３０の第二延出部３０ｃの端面との間を上下に動くようになる。筒体３１０は、弾性部材の伸縮のガイドをするためのものであり、これに限定されるものではなく、弾性部材をガイドできるものであればよく、例えば柱状体であってもよい。
【００３７】
回転体４は、回転軸４０と、掻き揚げ羽根４１とを備える。
【００３８】
回転軸４０は、水平支持された円柱体を有し、この円柱体は、スクレーパ３の一端と同方向に延びる。また、円柱体には、等間隔に６つの溝４０ａが径内方向に形成されている。そして、６つの溝４０ａに、掻き揚げ羽根４１が径外方向に突出するように、掻き揚げ羽根４１の基端部が圧入されている。掻き揚げ羽根４１の回転軸４０に対する取り付けは、金具及びボルトなどを用いて取り付けるようにしてもよい。
【００３９】
掻き揚げ羽根４１は、例えば、ウレタンゴム製で、硬度が９０度、厚さ１ｍｍ×１４．５ｍｍ×１２６ｍｍに設定されており、細長い板状で可撓性を有している（以下、羽根を掻き揚げ羽根という）。また、掻き揚げ羽根４１の長手方向の長さは、回転軸４０の長さと同じ長さであり、回転軸４０の軸線に沿って取り付けられている。また、回転軸４０の回転中心から掻き揚げ羽根４１の先端部までの長さは、回転軸４０の回転中心と床面ＦＬとを結ぶ距離よりも長く設定されており、回転軸４０の回転中心と床面ＦＬとを結ぶ鉛直線Ｐ上に近づくにつれて直線状から徐々に湾曲するようになり、鉛直線Ｐ上で最も湾曲することになる。また、掻き揚げ羽根４１は、鉛直線Ｐから離れるにつれて湾曲した状態から徐々に直線状に復帰するようになる。
【００４０】
そして、図５に示す如く、周方向における掻き揚げ羽根４１の先端同士の間隔は、コインＣの直径と同じ、もしくは該直径よりも大きく設定されている。したがって、後述するスクレーパ３によってコインＣを掻き上げられる過程において、コインＣの移動側に掻き揚げ羽根４１が位置することがないので、掻き揚げ羽根４１によって、スクレーパ３を移動するコインＣの動きが先行する掻き揚げ羽根４１によって邪魔されることがなく、スクレーパ３を円滑に移動することができる。なお、周方向における掻き揚げ羽根４１の先端同士の間隔が、コインＣの直径よりも小さく設定されていても、コインＣを掻き揚げることはできる。但し、好ましくは、コインＣの直径と同じ、もしくは該直径よりも大きく設定すべきである。
【００４１】
また、回転体４の回転軸４０は、回収機本体２を走行させる一対の車輪４２，４２と、一対の車輪４２，４２の回転を利用して、回転軸４０の回転数を増速させる歯車機構部４３とをさらに備える。一対の車輪４２，４２は、左右の側枠２０ｂ，２０ｂを貫通した軸４２ａの両端部に固着されて回転する。歯車機構部４３は、大径歯車４３０と、小径歯車４３１と、大径歯車４３０及び小径歯車４３１に噛合する中間歯車４３２とを備える。そして、大径歯車４３０は、一方の車輪４２の内側に同心状に設けられ、前記軸４２ａの一方の端部に固着されて、車輪４２，４２の回転に連動して回転する。また、小径歯車４３１は、大径歯車４３０の回転が中間歯車４３２から伝達されて回転する。そして、小径歯車４３１の回転に伴って掻き揚げ羽根４１の回転軸４０が回転する。中間歯車４３２は、一方の側枠２０ｂに回転可能に支持された軸４３２ａに固着されて回転し、上述したように、大径歯車４３０の回転を小径歯車４３１に伝達する。そして、大径歯車４３０及び中間歯車４３２は、例えば、直径６０ｍｍ、小径歯車４３１は、例えば、直径２０ｍｍに設定されている。したがって、小径歯車４３１は、大径歯車４３０及び中間歯車４３２が１回転すると、３回転することになる。すなわち、３倍速で回収機本体２の内部に取り込んだコインＣが処理されるので、効率よく回収することができる。
【００４２】
そして、回転軸４０の回転中心（以下、単に回転中心という場合もある。）とスクレーパ３の他端とを結ぶ距離Ｌ１と、スクレーパ３の一端とを結ぶ距離Ｌ２と、回転中心から掻き揚げ羽根４１の先端部までの長さｌ１との関係を、Ｌ１≧Ｌ２＞ｌ１としている。この条件を設定する理由について説明する。まず、回転中心とスクレーパ３の他端とを結ぶ長さＬ１を、回転中心とスクレーパ３の一端とを結ぶ長さＬ２以上とする理由は、コインＣがスクレーパ３の一端から他端に向かう過程において、回転方向で先行する掻き揚げ羽根４１によって邪魔されることなく掻き揚げるためである。したがって、コインＣはスクレーパ３を介して勢いよく掬い上げられる。また、回転中心とスクレーパ３の一端とを結ぶ長さＬ２を、回転中心と床面ＦＬとを結ぶ長さｌ１よりも大きくする理由は、掻き揚げ羽根４１が、回転中心を通る鉛直線Ｐを超えてスクレーパ３の一端に近づくにつれ、湾曲した状態から徐々に直線状に復帰するようになるからである。すなわち、掻き揚げ羽根４１がスクレーパ３の一端に位置する時点では、コインＣを勢いよく掻き上げる必要があるためである。つまり、上述した３つの長さの関係が成立することで、勢いよく掻き上げられたコインＣが確実に回収される条件が成立することになる。
【００４３】
さらに、上記条件に加えて、回転中心と床面ＦＬとを結ぶ距離Ｈ１と、スクレーパ３の高さＨ２との関係を、Ｈ１＞Ｈ２とすることで、勢いよく掻き上げられたコインＣをより確実に回収される条件を整えている。
【００４４】
回収部５は、フレーム２０の底板２０ａ、左右の側枠２０ｂ，２０ｂ、後枠２０ｃと、カバー２１の天板２１ｄとで形成される空間であり、この空間にコインＣが回収される。
【００４５】
つぎに本実施形態に係るコイン回収機１の使用態様について説明する。このコイン回収機１は、床面ＦＬに沿って移動させつつ、床上のコインＣを回収するようになっている。具体的に説明すると、図６に示す如く、コインＣのある所に向かって、回収機本体２を床面ＦＬに沿って移動させると、回収機本体２の開口２１ａからコインＣが内部に取り込まれる。
【００４６】
この際、回転軸４０の回転に伴って、掻き揚げ羽根４１の下半周の回転によって、コインＣは回収機本体２の前方から後方に移動することになる。
【００４７】
具体的に説明すると、図５に示す如く、掻き揚げ羽根４１がコインＣの端部に当接し、掻き揚げ羽根４１の回転移動によって、回転軸４０の真下にコインＣが位置する。すなわち、前後の掻き揚げ羽根４１，４１の間にコインＣが位置することになる。この際、コインＣの中心が回転中心と床面ＦＬとを結ぶ鉛直線Ｐよりもスクレーパ３側に少し移動し、コインＣの裏面と床面ＦＬとの接合部にスクレーパ３の一端が当接する（コインＣの裏面と床面ＦＬとの間にスクレーパ３の一端が差し込まれる）ようになっている。
【００４８】
この理由としては、コインＣを勢いよくスクレーパ３に掬い上げる距離を稼ぐためである。すなわち、回転中心と、スクレーパ３とは反対側のコインＣの端部とを結ぶ距離よりも、掻き揚げ羽根４１の先端部がコインＣの端部に当接したときの、回転中心と、掻き揚げ羽根４１が当接するコインＣの端部とを結ぶ距離を大きくとることで、掻き揚げ羽根４１が湾曲した状態でコインＣの端部に圧接したとき、コインＣが少しでもスクレーパ３側にあれば、その分、コインＣがスクレーパ３に勢いよく掬い上げられることになる。
【００４９】
さらに、前記鉛直線Ｐとスクレーパ３の一端とを結ぶ距離ｌを、コインＣの直径よりも小さく設定することで、コインＣがスクレーパ３に勢いよく掬い上げられることがより確実なる。
【００５０】
そして、図７（ａ）に示す如く、掻き揚げ羽根４１は前記鉛直線Ｐに近づくにつれて徐々に円弧状に湾曲するようになり、鉛直線Ｐ上で最も湾曲する。すなわち、掻き揚げ羽根４１は、コインＣを掻き上げる力をもつことになる。そして、掻き揚げ羽根４１は、湾曲した状態でコインＣの端部に圧接しつつ、スクレーパ３の円弧面に沿ってコインＣを押し上げる一方、コインＣは、スクレーパ３の一端から徐々にスクレーパ３の中途部に移動するようになり、倒伏した状態から徐々に大きな角度を持って傾倒するようになる。
【００５１】
つぎに、図７（ｂ）に示す如く、さらなる掻き揚げ羽根４１の回転移動によって、コインＣが傾倒した状態でスクレーパ３の他端側に押し上げられる。そして、掻き揚げ羽根４１の先端部がスクレーパ３の略中央部に位置すると、コインＣの略半分がスクレーパ３の他端を乗り越えるようになる。この際、掻き揚げ羽根４１は、湾曲した状態から直線状に復帰しており、コインＣを勢いよく掻き上げている。
【００５２】
つぎに、図７（ｃ）に示す如く、直線状の掻き揚げ羽根４１がスクレーパ３の他端に徐々に近づくことで、傾倒した状態のコインＣの端部がスクレーパ３の他端に位置するようになる。そして、コインＣの端部がスクレーパ３の他端を越えた時点で、コインＣは、傾倒した状態から回収部５側に自重で落下して回収されることになる。
【００５３】
そして、カバー２１の扉２１５を開いて、フレーム２０の後枠２１ｃの開口２００、及びカバー２１の開口２１０から回収部５に回収されたコインＣを外部に排出する。
【００５４】
以上のように、本実施形態に係るコイン回収機は、コインＣを確実に回収することができる。
【００５５】
なお、本発明は、上記実施形態に限定されるものではなく、本発明の要旨を逸脱しない範囲で適宜変更を加え得ることは勿論のことである。
【００５６】
例えば、上記実施形態において、一対の大径歯車４３０，４３０と、１つの小径歯車４３１と、中間歯車４３２とを使用して、回転軸４０の回転速度を増速するようにしたが、図８に示す如く、一対の大径歯車４３０と、回転軸４０とにベルト４３３を巻回して、回転軸４０の回転速度を増速するようにしてもよい。
【００５７】
また、回転軸４０を電動モータによって回転させてもよい。この場合、スクレーパ３によるコインＣの掻き上げを減速歯車機構によって調整することが好ましい。
【００５８】
また、前記実施形態の場合、円弧面を有するスクレーパ３としたが、傾斜面であってもよい。すなわち、スクレーパ３としては、コインＣを掬い上げることができればよい。
【００５９】
また、前記実施形態の場合、板状の掻き揚げ羽根４１の全体を湾曲させるようにしたが、少なくとも先端部が湾曲すればよい。すなわち、掻き揚げ羽根４１としては、コインＣを勢いよく掻き上げるように湾曲することができればよい。
【符号の説明】
【００６０】
１…コイン回収機、２…回収機本体、２１ａ…開口、２０１…透孔、３…スクレーパ、４…回転体、４０…回転軸、４１…掻き揚げ羽根、４２…車輪、４３…歯車機構部、５…回収部、Ｃ…コイン、ＦＬ…床面、Ｐ…鉛直線
【要約】
【課題】コインを確実に回収できるようにする。
【解決手段】一端と他端とを有し且つ一端を他端よりも下方に位置した傾斜面もしくは湾曲面を有するスクレーパ３と、スクレーパ３の一端側に設けられた回転体４と、スクレーパ３の他端側に設けられたコイン回収部５とを備えたコイン回収機であって、回転体４は、スクレーパ３の一端と同方向に延びる回転軸４０と、回転軸４０に対して放射状に配置された可撓性を有する掻き揚げ羽根４１とを備え、掻き揚げ羽根４１は、床ＦＬとの接触で少なくとも先端側が湾曲状に変形可能に構成される。
【選択図】図２【図１】
0005608807.tif 000002
【図２】
0005608807.tif 000003
【図３】
0005608807.tif 000004
【図４】
0005608807.tif 000005
【図５】
0005608807.tif 000006
【図６】
0005608807.tif 000007
【図７】
0005608807.tif 000008
【図８】
0005608807.tif 000009
【図９】
0005608807.tif 000010